(57)【要約】【課題】簡単な構成で容易かつ確実な連結と離脱が可能であり、しかも連結時には外面の模様や表裏面が必ず一致して見栄えのよい装身具用連結具を提供する。【解決手段】装身具の一端と他端にそれぞれ取り付けられる第１連結部１Ａと第２連結部１Ｂとからなり、その第１筐体１０と第２筐体２０が単一の中空筐体を第１連結部１Ａと第２連結部１Ｂの連結方向の中間部で外周方向に凹凸を有する直線又は曲線に沿って切断した形状をなしている。その各筐体１０と２０内にはそれぞれマグネット１５，２５が固定され、それぞれ上記連結方向に直交する方向の両端部の一方がＮ極に他方がＳ極になるように着磁されており、第１筐体１０と第２筐体２０とは、その各マグネット１５と２５の異極が対向する連結位置で上記中空筐体を形成する接合状態となる。【選択図】        図５
2007222301.tif 000002
【特許請求の範囲】
【請求項１】
装身具の両端に取り付けられ、該装身具を無端状に連結する連結具であって、
前記装身具の一端と他端にそれぞれ取り付けられる第１連結部と第２連結部とからなり、
該第１連結部と第２連結部とが、それぞれ単一の中空筐体を該第１連結部と第２連結部の連結方向の中間部で外周方向に凹凸を有する直線又は曲線に沿って切断した形状の第１筐体と第２筐体を有し、
該第１筐体と第２筐体内にはそれぞれ永久磁石が固定され、その各永久磁石は前記連結方向に直交する方向の両端部の一方がＮ極に他方がＳ極になるように着磁されており、
前記第１筐体と第２筐体とは、その各筐体内に固定した永久磁石の異極が対向する連結位置で前記中空筐体を形成する接合状態となることを特徴とする装身具用連結具。
【請求項２】
前記中空筐体が、前記連結方向に長い楕円形又は長円形の表面と裏面を有する扁平な中空筐体であって、該表面と裏面の表面形状が異なり、
前記第１筐体と第２筐体とは、前記連結位置で前記表面同士及び裏面同士が接合することを特徴とする請求項１記載の装身具用連結具。
【請求項３】
前記第１筐体と第２筐体は、前記扁平な中空筐体が前記表面の模様を構成する線に沿って切断された形状をなしていることを特徴とする請求項２記載の装身具用連結具。
【請求項４】
前記中空筐体は、前記連結方向に直交する方向の断面形状がその中心に対して点対称であり、
前記第１筐体と第２筐体は、前記中心を通って前記連結方向に沿う軸線の回りに相対回転されることによって、該各筐体内に固定した永久磁石の異極が対向する連結位置と同極が対向する非連結位置の一方から他方に移行することを特徴とする請求項１記載の装身具用連結具。
【発明の詳細な説明】
【技術分野】
【０００１】
この発明は、真珠や玉などの装飾材をくさりやワイヤあるいは糸などで連接したり、貴金属のくさりなどからなるネックレスやブレスレット等の装身具の両端に取り付けられ、その装身具を無端状（環状）に連結するための連結具に関する。
【背景技術】
【０００２】
一般に、ネックレスやブレスレット等の装身具は無端状にして首や腕に装着されるが、着脱の度にその両端を連結したり離間させたりしなければならないため、それを容易かつ確実に行えるようにするための種々の連結具が従来から提供されている。
その多くは、挿入穴部を有するメス型部材とその挿入穴部に挿脱可能な突起部を有するオス型部材との組み合わせからなるピン挿脱タイプの連結具であった。
【０００３】
例えば、特許文献１には、オス型部材の突起部である棒体の外周に係止溝部が全周に亘って形成されており、またメス型部材である筒体にスプリングによって付勢された開閉レバーが回動可能に設けられ、棒体を筒体に挿入した際には開閉レバーの先端に形成されている係止爪部が係止溝部に嵌合して棒体と筒体を連結し、開閉レバーを付勢力に抗して回動させることによって棒体に対する嵌合を外して棒体を筒体から離脱可能にする構成の連結具が開示されている。
【０００４】
また、例えば特許文献２に見られるように、互いに嵌合する凸状連結部と凹状連結部内にそれぞれ永久磁石（マグネット）を設けて、そのマグネットの磁力によって両者が連結するようにした連結具も提案されている。
【特許文献１】特開２０００−２７９２１９号公報
【特許文献２】特開平８−１８２５２１号公報
【発明の開示】
【発明が解決しようとする課題】
【０００５】
しかしながら、特許文献１に見られるような従来のピン挿脱タイプの連結具は、開閉レバーのような可動部を有する複雑な構成であるため、連結した状態の全体のサイズが比較的大きくなるとともに耐久性の問題や、コスト高になってしまうなどの問題があった。また、可動の操作部を外部に露出させる必要があるため、装身具の一部として外観のデザイン性が損なわれ、その操作部が連結具の外周から突出するため衣服に引っかかったり肌触りが悪かったりするという問題もあった。
【０００６】
また、特許文献２に見られるような従来のマグネットの磁力によって連結される連結具は、２つの連結部内のマグネットの互いに対向する面が異極（Ｎ極とＳ極）になるように着磁されており、２つの連結部の外面がどのような相対位置関係にあっても連結する。そのため、連結部の外面に模様が施されている場合や、表裏面の形状が異なる場合などに、２つの連結部の模様や表裏面が一致しない状態でも連結されてしまうことになり、装身具としての見栄えが悪くなるという問題があった。
また、２つの連結部が確実に連結できるようにマグネットの磁力を強くすると、離脱させるときに大きな力が必要になるという問題もあった。
【０００７】
この発明は、これらの問題を解決するためになされたものであり、可動部を設けない簡単な構成であって、特別な操作をする必要がなく容易かつ確実な連結と離脱が可能であり、しかも連結時には外面の模様や表裏面が必ず一致するようにして、見栄えのよい装身具用連結具を提供することを目的とする。
【課題を解決するための手段】
【０００８】
この発明による装身具用連結具は、装身具の両端に取り付けられ、その装身具を無端状に連結する連結具であって、上記の目的を達成するため、装身具の一端と他端にそれぞれ取り付けられる第１連結部と第２連結部とからなり、その第１連結部と第２連結部とが、それぞれ単一の中空筐体を第１連結部と第２連結部の連結方向の中間部で外周方向に凹凸を有する直線又は曲線に沿って切断した形状の第１筐体と第２筐体を有する。
そして、その第１筐体と第２筐体内にはそれぞれ永久磁石が固定され、その各永久磁石は上記連結方向に直交する方向の両端部の一方がＮ極に他方がＳ極になるように着磁されており、上記第１筐体と第２筐体とは、その各筐体内に固定した永久磁石の異極（Ｎ極とＳ極）が対向する連結位置で上記中空筐体を形成する接合状態となることを特徴とする。
【０００９】
上記中空筐体が、上記連結方向に長い楕円形又は長円形の表面と裏面を有する扁平な中空筐体であって、その表面と裏面の表面形状が異なる場合でも、上記第１筐体と第２筐体とは、上記連結位置で上記表面同士及び裏面同士が接合する。
その場合、上記第１筐体と第２筐体は、上記扁平な中空筐体がその表面の模様を構成する線に沿って切断された形状にするとよい。
【００１０】
また、上記中空筐体を、上記連結方向に直交する方向の断面形状がその中心に対して点対称な形状にし、上記第１筐体と第２筐体が、その中心を通って上記連結方向に沿う軸線の回りに相対回転されることによって、その各筐体内に固定した永久磁石の異極が対向する連結位置と同極が対向する非連結位置の一方から他方に移行するようにしてもよい。
【発明の効果】
【００１１】
この発明による装身具用連結具は、上記の構成により、可動部を設けない簡単な構成であり、特別な操作をする必要がなく、上記第１筐体と第２筐体とがガイドの役目を果たし、その筐体内の永久磁石の異極が対向する連結位置でその吸引力によって確実に連結される。
そして、この連結位置では上記第１筐体と第２筐体は常に上記中空筐体を形成する接合状態となるので、外面の模様や表裏面が必ず一致し、第１連結部と第２連結部が一つの部材のように見えて、装身具として外観の見栄えがよい。
また、第１連結部と第２連結部をそのの各筐体内の永久磁石の同極が対向する非連結位置の方向に相対回動させれば、吸引力が弱まって容易に離間させることができる。
【発明を実施するための最良の形態】
【００１２】
以下、この発明の好ましい実施の形態を図面を参照して具体的に説明する。
〔第１実施例：図１〜図７〕
まず、この発明による装身具用連結具の第１実施例を図１乃至図７によって説明する。図１はその連結具により装身具を連結した状態を示す斜視図、図２はその連結具のみの平面図、図３は裏面図である。図４はその連結具の第１連結部と第２連結部を離間させた状態を示す平面図、図５は図４のＸ−Ｘ線に沿う断面図、図６は図５における第２連結部を矢示Ｐ方向から見た図である。図７はマグネットの異なる着磁例を示す図６と同様な図である。
【００１３】
図１には、装身具２の一例として粒が揃った多数の真珠２ａを細い鎖２ｂを通して連接させたネックレスの両端部付近と共に、その両端部に取り付けられて、その装身具２を無端状（環状）に連結する連結具１を示している。
その連結具１は、装身具２の一端（図1では右側）の鎖２ｂを係止リング１２によって係止する第１連結部１Ａと、装身具２の他端（図1では左側）の鎖２ｂを係止リング２２によって係止する第２連結部１Ｂとからなる。
【００１４】
その第１連結部１Ａと第２連結部１Ｂとが、それぞれ図１〜図３に示すように単一の中空筐体を第１連結部１Ａと第２連結部１Ｂの連結方向（これらの図では左右方向）の中間部で外周方向に凹凸を有する直線（この実施例ではＶ字形の直線）に沿って切断した形状の第１筐体１０と第２筐体２０を有する。
この実施例では、その切断前の単一の中空筐体が上記連結方向に長い楕円形の表面と裏面を有する扁平な中空筐体であって、その表面と裏面の表面形状が異なっている。
【００１５】
すなわち、表面は図１及び図２に示すように、クロス状の直線で４分割された各扇形の部分がそれぞれ中央部が上方に若干盛り上がった曲面をなしている。裏面は平面状で、図３に示すように、第１筐体１０と第２筐体２０との分割線と、それぞれ後述するマグネット１５，２５を固定するための止めピン１４，２４と、その各部が突出しないように窪ませたボス部１３，２３が見えるだけである。
【００１６】
したがって、この実施例の第１筐体１０と第２筐体２０は、図１に示した扁平な中空筐体がその表面の模様を構成する線に沿って、図２に示す仮想線ａ−ｂ−ｃのように切断された形状をなしている。
この第１筐体１０と第２筐体２０の側面には、それぞれ楕円方向に沿ってスロット１１，２１が形成されて、装飾性を高めると共に重さを軽くしている。また楕円の長軸方向の両端部に位置するスロット間の縦枠部に係止リング１２，２２を取り付けている。
【００１７】
この第１筐体１０と第２筐体２０内には、それぞれ図４及び図５に示すように直方体状の永久磁石であるマグネット１５，２５が、一方の端面が互いに対向するように配設され、裏面側から止めピン１４，２４によって固定されている。その各マグネット１５，２５は、第１連結部１Ａと第２連結部１Ｂとの連結方向（図４に一点鎖線で示す方向）に直交する方向の両端部の一方がＮ極に他方がＳ極になるように着磁されている。この実施例では、図５及び図６に示すように、第１筐体１０及び第２筐体２０の高さ（厚さ）方向でもあるマグネット１５，２５の厚さ方向の両端部が磁極となり、第１連結部１Ａのマグネット１５は上端部がＮ極、下端部がＳ極に着磁され、第２連結部１Ｂのマグネット２５は上端部がＳ極、下端部がＮ極に着磁されている。
【００１８】
この連結具１の第１連結部１Ａと第２連結部１Ｂを、図４に示すように離間した状態から連結する際には、第１筐体１０と第２筐体２０の切断面に相当する接合面１０aと２０aがガイドの機能を果し、第１筐体１０と第２筐体２０の表裏面が略同じ方向になっていないと嵌合できない。また、第１筐体１０と第２筐体２０の表面と裏面が逆になっていると、途中まで嵌合してもマグネット１５と２５の同極同士が対向してしまうため、反発して吸着されないので結合できない。
したがって、第１筐体１０と第２筐体２０とは、内部に固定したマグネット１５と２５の異極が対向する連結位置では、必ずその表面同士及び裏面同士が接合して中空筐体を形成する正しい接合状態となり、その状態で第１連結部１Ａと第２連結部１Ｂとが確実に連結される。
【００１９】
そのため、この連結具１を使用すれば、装身具２を首の後ろ側などで手探りで連結する場合でも、第１連結部１Ａと第２連結部１Ｂを容易且つ確実に連結することができ、しかも第１連結部１Ａと第２連結部１Ｂの表裏が反対になるようなことがないので、表裏面の形状が異なっていても問題がなく、外面に模様などが施されている場合でも、連結状態では連結具１全体の連続した模様として一体に見える。
【００２０】
第１筐体１０と第２筐体２０内のマグネット１５，２５は、第１連結部１Ａと第２連結部１Ｂとの連結方向に直交する方向の両端部に磁極が生じるように着磁すればよいので、図７に示すように、第２筐体２０内のマグネット２５を短手方向（幅方向）の両端部がＮ極とＳ極となるように着磁し、第１筐体１０内のマグネット１５は、第１筐体１０と第２筐体２０を正しく接合したときにマグネット２５に対して異極が対向するように、短手方向（幅方向）の両端部に磁極を生じさせればよい。
【００２１】
第１筐体１０と第２筐体２０の材料としては非磁性の金属を使用するが、この連結具１は装身具２の一部をなすことになるので、例えばシルバーで成形して表面にニッケルロジュームメッキを施したり、１８金やホワイトゴールドなどの貴金属を使用するとよい。
マグネット１５，２５の表面には、耐腐食性及び耐破損性を高めるために、防錆処理としてニッケルメッキなどを施すとよい。
【００２２】
〔変形例〕
第１筐体と第２筐体の元になる中空筐体は、その表裏面形状が楕円に限らず長円形あるいは面取りした長方形や菱形、卵形のような非対称形状などでもよい。また、扁平なものに限らず、円筒や他角筒のカプセル状などでもよい。
その中空筐体を第１筐体と第２筐体に分割する切断線は、第１連結部と第２連結部との連結方向（長手方向）の中間部で外周方向（短手方向の外周に沿う方向）に凹凸を有する直線又は曲線であればよい。
【００２３】
〔第２実施例：図８〜図１０〕
そこで、この発明による装身具用連結具の第２実施例を図８乃至図１０によって説明する。図８はその装身具用連結具によって装身具を連結する直前の状態を示す斜視図、図９はその連結具のみを第１連結部と第２連結部が連結した状態で示す平面図、図１０はその第１連結部を連結方向から見た図である。
【００２４】
この連結具３も、真珠２ａを連接した装身具２の一端（図８では右側）の図示しない鎖を係止リング３２（図９参照）によって係止する第１連結部３Ａと、装身具２の他端（図８では左側）の鎖を係止リング４２によって係止する第２連結部３Ｂとからなる。
この第１連結部３Ａと第２連結部３Ｂとが、それぞれ図９に示すように単一の円筒カプセル状の中空筐体を第１連結部３Ａと第２連結部３Ｂの連結方向（長手方向）の中間部で外周方向（短手方向の外周に沿う方向）に凹凸を有する曲線（この実施例ではサインカーブ状の曲線）Ｌ１に沿って切断した形状の第１筐体３０と第２筐体４０を有する。
【００２５】
したがって、この第１筐体３０と第２筐体４０の図８に示す接合面３０ａと４０ａは、その凹凸状態が正反対の曲面になっている。そして、この第１筐体３０と第２筐体４０内にもそれぞれ直方体状の永久磁石であるマグネット３５，４５が一方の端面が互いに対向するように固定されている。その各マグネット３５，４５は、第１連結部３Ａと第２連結部３Ｂとの連結方向（長手方向）に直交する方向の両端部の一方がＮ極に他方がＳ極になるように着磁され、第１筐体３０と第２筐体４０が正しく接合したときにマグネット３５と４５の異極が対向して吸引し合うようにする。
【００２６】
また、この実施例では、第１連結部３Ａのマグネット３５のマグネット４５と対向する端面の中心部にガイド軸穴３６を第１筐体３０の円筒中心軸方向に形成し、第２連結部３Ｂのマグネット４５のマグネット３５と対向する端面の中心部にガイド軸４６を第２筐体４０の円筒中心軸方向に突設して、互いに相対回動可能に嵌合できるようにしている。ガイド軸４６の先端部は、若干先細りのテーパ面にしておくと、ガイド軸穴３６への挿入が容易になる。
【００２７】
そこで、この連結具３の第１連結部３Ａと第２連結部３Ｂとを離間した状態から連結させる際には、まず第１連結部３Ａのガイド軸４６を第２連結部３Ｂのガイド軸穴３６に挿入して、そのガイド軸４６の周りに第１連結部３Ａと第２連結部３Ｂを相対回転させると、マグネット３５とマグネット４５の異極が対向する連結位置で、第１筐体３０と第２筐体４０の接合面３０ａと４０ａが正しく接合し、確実に連結される。
【００２８】
第１連結部３Ａと第２連結部３Ｂの連結を解きたいときには、第１連結部３Ａと第２連結部３Ｂを連結位置から相対回転させていくと、マグネット３５とマグネット４５の異極が離れていくとともに、第１筐体３０と第２筐体４０の接合面３０ａと４０ａの凸部同士が当接するようになると、第１筐体３０と第２筐体４０とが離間し、マグネット３５とマグネット４５も離間するので吸引力が弱まり、容易に連結を解くことができる。第１連結部３Ａと第２連結部３Ｂを連結位置から１８０度相対回転させると、マグネット３５とマグネット４５の同極が対向して反発する非連結位置となり、第１連結部３Ａと第２連結部３Ｂを完全に離間させることができる。
【００２９】
このように、第１筐体３０と第２筐体４０をその中心を通って第１連結部３Ａと第２連結部３Ｂの連結方向に沿う軸線の回りに相対回転させることによって、各筐体３０，４０内に固定したマグネット３５と４５の異極が対向する連結位置と同極が対向する非連結位置の一方から他方に移行させることができる。
【００３０】
〔第３実施例：図１１と図１２〕
次に、この発明による装身具用連結具の第３実施例を図１１と図１２によって説明する。図１１はその装身具用連結具を第１連結部と第２連結部が連結した状態で示す平面図、図１２はその第１連結部を連結方向から見た図である。
【００３１】
この連結具４も、図示しない装身具の一端に取り付けられる第１連結部４Ａと、その装身具の他端に取り付けられる第２連結部４Ｂとからなる。
その第１連結部４Ａと第２連結部４Ｂとが、それぞれ図１１に示すように単一の八角筒カプセル状の中空筐体を第１連結部４Ａと第２連結部４Ｂの連結方向（長手方向）の中間部で外周方向（短手方向の外周に沿う方向）に凹凸を有する直線（この実施例では横断面が八角形の一辺ごとに傾斜方向を反転したジグザグの直線）Ｌ２に沿って切断した形状の第１筐体５０と第２筐体６０を有する。
【００３２】
そして、この第１筐体５０と第２筐体６０内にもそれぞれ直方体状の永久磁石であるマグネット５５，６５が一方の端面が互いに対向するように固定されている。その各マグネット５５，６５の着磁状態は、前述した第２実施例のマグネット３５，４５と同様である。
また、この実施例でも、第１連結部４Ａのマグネット５５のマグネット６５と対向する端面の中心部にガイド軸穴５６を第１筐体３０の角筒中心軸方向に形成し、第２連結部４Ｂのマグネット６５のマグネット５５と対向する端面の中心部にガイド軸６６を第２筐体６０の角筒中心軸方向に突設して、互いに相対回動可能に嵌合できるようにしている。
【００３３】
この実施例によっても、連結具４の第１連結部４Ａと第２連結部４Ｂを連結させる場合と、その連結を解く場合の操作方法や機能は前述の第２実施例と同様であるから説明を省略する。
また、第１筐体５０と第２筐体６０をその中心を通って第１連結部４Ａと第２連結部４ｉＢの連結方向に沿う軸線の回りに相対回転させることによって、各筐体５０，６０内に固定したマグネット５５と６５の異極が対向する連結位置と同極が対向する非連結位置の一方から他方に移行させることができることも、第２実施と例と同様である。
なお、この実施例の場合は、第１筐体５０と第２筐体６０を相対回転させる際に、４５度回転させる毎にクリック感が得られる。
【００３４】
〔第２、第３実施例に共通な事項〕
第１筐体と第２筐体を形成する中空筐体は円筒又は角筒のカプセル状に限るものではなく、六角等や十二角筒など、第１連結部と第２連結部の連結方向に直交する方向の断面形状がその中心に対して点対称な形状であればよい。
【００３５】
第１筐体と第２筐体に固定された角マグネットの中心部にガイド軸穴とそれに嵌合するガイド軸を設けて、第１連結部と第２連結部を相対回転させ易くしたが、これは必須ではなく、これらがなくても、第１連結部と第２連結部を所定の相対位置で確実に連結することができ、その連結状態から第１連結部と第２連結部をその中心軸線の回りに相対回転させることによって、容易にその連結を解くことができる。
第１筐体と第２筐体の材料は、第１実施例において説明したのと同様であり、マグネットの表面に防錆処理としてニッケルメッキなどを施すとよいのも同様である。
【産業上の利用可能性】
【００３６】
この発明による装身具用連結具は、真珠のネックレスにかぎらず、各種の宝石や水晶などの装飾材を鎖や紐、糸、ワイヤなどで連接したネックレスやブレスレット、金などの貴金属の鎖だけからなるネックレスや、ペンダントを下げる鎖など、端部を連結したり離間させたりすることが必要な各種の装身具に適用できる。そして、この連結具は小型で簡単な構造であり、連結時の概観の見栄えがよく、操作性も極めてよいので、広範な利用が期待できる。
【図面の簡単な説明】
【００３７】
【図１】この発明による装身具用連結具の第１実施例により装身具を連結した状態を示す斜視図である。
【図２】同じくその連結具のみの平面図である。
【図３】同じくその連結具のみの裏面図である。
【図４】同じくその連結具の第１連結部と第２連結部を離間させた状態を示す平面図である。
【図５】図４のＸ−Ｘ線に沿う断面図である。
【図６】図５における第２連結部を矢示Ｐ方向から見た図である。
【００３８】
【図７】マグネットの異なる着磁例を示す図６と同様な図である。
【図８】この発明による装身具用連結具の第２実施例により装身具を連結する直前の状態を示す斜視図である。
【図９】同じくその連結具のみを第１連結部と第２連結部が連結した状態で示す平面図である。
【図１０】同じくその第１連結部を連結方向から見た図である。
【図１１】この発明による装身具用連結具の第３実施例の連結具のみを第１連結部と第２連結部が連結した状態で示す平面図である。
【図１２】同じくその第１連結部を連結方向から見た図である。
【符号の説明】
【００３９】
１，３，４：連結具      １Ａ，３Ａ，４Ａ：第１連結部
１Ｂ，３Ｂ，４Ｂ：第２連結部      ２：装身具      ２a：真珠      ２ｂ：鎖
１０，３０，５０：第１筐体      ２０，４０，６０：第２筐体      
１０ａ，２０ａ，３０ａ，４０ａ，６０ａ：接合面（切断面）
１１，２１：スロット      １２，２２，３２，４２，５２，６２：係止リング
１３，２３：ボス部      １４，２４：止めピン    
１５，２５，３５，４５，５５，６５：マグネット（永久磁石）
３６，５６：ガイド軸穴      ４６，６６：ガイド軸
Ｌ１，Ｌ２：切断線
【図１】
2007222301.tif 000003
【図２】
2007222301.tif 000004
【図３】
2007222301.tif 000005
【図４】
2007222301.tif 000006
【図５】
2007222301.tif 000007
【図６】
2007222301.tif 000008
【図７】
2007222301.tif 000009
【図８】
2007222301.tif 000010
【図９】
2007222301.tif 000011
【図１０】
2007222301.tif 000012
【図１１】
2007222301.tif 000013
【図１２】
2007222301.tif 000014